(57)【特許請求の範囲】
【請求項１】
上部に操作用ハンドルを有し、内部上方に電動送風機を配設した縦長形状の掃除機本体と、該掃除機本体の下方に配設され、回動自在に装着される床用吸込具と、前記電動送風機
の動作により、前記床用吸込具から吸引した塵や埃を集塵するために、前記床用吸込具と連通し、前記掃除機本体下部に収納されるダストカップとを備え、
前記ダストカップは、内部を視認可能とする材料によって形成され、内部にフィルターが着脱可能な容器と、該容器の少なくとも側面を覆う装飾板とで構成され、
前記ダストカップ底部は、外部光が内部に導入可能となるよう、前記ダストカップの前記掃除機本体への装着状態で、前記掃除機本体から露出する構成を有し、
前記ダストカップ底面に、外部光をダストカップ内部に導く透光部を形成するとともに、前記装飾板に前記容器内部を視認可能とする視認窓を形成したことを特徴とする縦型掃除機。
【請求項２】
前記床用吸込具上面が光を反射しやすい色彩あるいは鏡面塗装に形成されることを特徴とする請求項１記載の縦型掃除機。
【請求項３】
前記床用吸込具上面に前記ダストカップ底面を照らすライトを備えたことを特徴とする請求項１記載の縦型掃除機。
【発明の詳細な説明】
【技術分野】
【０００１】
本発明は、縦型掃除機に関するものである。
【背景技術】
【０００２】
取り扱いが楽な小型の掃除機として、縦型掃除機が知られている。
【０００３】
この縦型掃除機は、掃除機本体に着脱自在に収納されるダストカップを有し、ダストカップが透明又は半透明に形成されることでダストカップに集塵された塵や埃の蓄積量を視認することができるように構成されている。
【０００４】
しかし、この構成では外観上、ダストカップに塵や埃が溜まると見栄えが悪いという問題があった。
【０００５】
この問題を解決するために、ダストカップの前面を装飾板で覆い、ダストカップ収納部に収納した際に、ダストカップを掃除機本体と外観上連続する形状に形成した縦型掃除機が提案された（特許文献１）。
【先行技術文献】
【特許文献】
【０００６】
【特許文献１】特開２００８−５５１８６号公報
【発明の概要】
【発明が解決しようとする課題】
【０００７】
ダストカップを装飾板で覆う構成では、ダストカップに集塵された塵や埃の蓄積量が掃除機本体に収納された状態のままではわからないため、装飾板に外観を損なわない程度の小さな視認用の開口を形成させることが考えられる。
【０００８】
しかし、小さな開口では、ダストカップ内に入射する光量が少ないため、ダストカップ内の塵や埃の蓄積量を確認することが困難であり、蓄積量の確認を容易にするためには、開口の寸法を大きくしなければならない。開口の寸法を大きくした場合、ダストカップ内に塵や埃が集塵された状態でも見栄えを良くするという利点が損なわれるという問題がある。
【０００９】
本発明は、視認用の開口の寸法を大きくすることなく、ダストカップ内に集塵された塵や埃の蓄積量の確認を容易にした縦型掃除機を提供することを課題とするものである。
【課題を解決するための手段】
【００１０】
上部に操作用ハンドルを有し、内部上方に電動送風機を配設した縦長形状の掃除機本体と、該掃除機本体の下方に配設され、回動自在に装着される床用吸込具と、前記電動送風機の動作により、前記床用吸込具から吸引した塵や埃を集塵するために、前記床用吸込具と連通し、前記掃除機本体下部に収納されるダストカップとを備え、前記ダストカップは、内部を視認可能とする材料によって形成され、内部にフィルターが着脱可能な容器と、該容器の少なくとも側面を覆う装飾板とで構成され、前記ダストカップ底部は、外部光が内部に導入可能となるよう、前記ダストカップの前記掃除機本体への装着状態で、前記掃除機本体から露出する構成を有し、前記ダストカップ底面に、外部光をダストカップ内部に導く透光部を形成するとともに、前記装飾板に前記容器内部を視認可能とする視認窓を形成したことを特徴とする。
【００１１】
前記床用吸込具上面が、光を反射しやすい色彩あるいは鏡面塗装に形成されることが好ましい。
【００１２】
又は、前記床用吸込具上面に前記ダストカップ底面を照らすライトを備えることが好ましい。
【発明の効果】
【００１３】
請求項１によると、ダストカップ底部は、外部光が内部に導入可能となるよう、前記ダストカップの前記掃除機本体への装着状態で、前記掃除機本体から露出する構成を有し、ダストカップ底面に外部光をダストカップ内部に導く透光部を形成することで、床面および床用吸込具上面からの反射光がダストカップ内に入り、装飾板に形成された視認用窓からダストカップに集塵された塵や埃の蓄積量を確認容易にする等の効果を奏する。
【００１４】
請求項２によると、床用吸込具の上面を、光を反射しやすい色彩に形成することで、あるいは鏡面塗装とすることで反射光が増え、ダストカップ内の光量を増加させる等の効果を奏する。
【００１５】
請求項３によると、ライトによってダストカップ内が照らされるため、暗い場所でもダストカップ内部を確実に視認することができる等の効果を奏する。
【図面の簡単な説明】
【００１６】
【図１】本発明実施形態における縦型掃除機を前方から見た斜視図である。
【図２】同縦型掃除機を後方から見た斜視図である。
【図３】同ダストカップおよび床用吸込具の断面図である。
【図４】同断面図である。
【図５】同ダストカップ収納時における縦型掃除機の斜視図である。
【図６】同ダストカップ収納時における縦型掃除機の正面図である。
【図７】同ダストカップ収納時における縦型掃除機の側面図である。
【図８】ダストカップを後方から見た斜視図である。
【図９】ダストカップの断面図である。
【発明を実施するための形態】
【００１７】
本発明の実施形態について、図１乃至図９に基づいて以下に詳述する。
【００１８】
１は回転ブラシ２を有する床用吸込具で、少なくとも上面を比較的光を反射しやすい色彩、本実施形態では、白色に形成されている。３は下部に前記床用吸込具１の吸込パイプ４が着脱自在に装着される略円筒形状の掃除機本体で、前記床用吸込具１に対して回動自在に、かつ前後方向に斜傾自在に枢支されており、前記掃除機本体３は、やや前傾した状態で床用吸込具１上に直立保持されるようになっている。５は前記掃除機本体３の後方上部に配設される操作用ハンドルで、上下方向に伸縮自在に形成されている。
【００１９】
前記掃除機本体３内上部には、電動送風機６が収納され、掃除機本体３下部には、後述するダストカップ８が着脱自在に収納されるダストカップ収納部７が形成されている。前記ダストカップ収納部７は、略円筒形状の掃除機本体３の前方部分を開口した有底略半円形状に形成され、後述する容器９と装飾板１０によって構成されるダストカップ８が装着され、装飾板１０が掃除機本体３の外観に沿うように構成されており、ダストカップ８のダストカップ収納部７への装着状態で、ダストカップ８底部がダストカップ収納部７から露出するようになっている。
【００２０】
９は透明又は半透明の材料にて形成することで内部を視認可能とした容器で、該容器９は、上面を開口しており、該上面開口にはシール用の枠１２を有するフィルター１３が嵌着され、該フィルター１３により、前記電動送風機６の回転によって吸い込まれた空気を濾過して塵や埃を容器９内に蓄積させるようになっている。前記容器９の背面には、上面開口と前記床用吸込具１の吸込パイプ４に連通する接続口１１を有しており、前記接続口１１には弁１４が配設され、容器９から吸込パイプ４側へ、塵や埃が逆流することを防ぐようになっている。
【００２１】
１０は前記容器の前面側に装着される不透明な材料からなる装飾板で、該装飾板１０は、掃除機本体３に装着した状態で、掃除機本体３の外観に沿う形状に形成され、後述するダストカップ８と掃除機本体３との一体感が損なわれるのを抑制している。また、前記装飾板１０は、前面に容器９に集塵された塵および埃の蓄積量を確認するための視認用窓として開口１５を形成するとともに、切り欠きを形成することで、ダストカップ収納部７から露出したダストカップ８底部に外部光をダストカップ８内部に導く透光部１６を形成している。
【００２２】
この構成によると、ダストカップ８底部に形成された透光部１６から、床面および床用吸込具１上面からの反射光が入射し、集塵された塵や埃の蓄積量を視認用の開口１５から確認することが容易となる。
【００２３】
尚、透光部１６から効率よく光を入射させるために、本実施形態では、床用吸込具１上面を光を反射しやすい色彩として白色に形成したが、白色以外の光を反射しやすい色彩を選択してもよく、また、鏡面塗装など光を反射しやすくするための他の方法を用いても良い。
【００２４】
この構成によると、床用吸込具１の上面を、光を反射しやすい色彩に形成することで、あるいは鏡面塗装とすることで反射光が増え、ダストカップ８内の光量を増加させることができる。
【００２５】
また、床用吸込具１上面にライトを取り付け、ライトの光をダストカップ８内を照射する構成にしても良い。
【００２６】
この構成によると、ライトによってダストカップ８内が照らされるため、暗い場所でもダストカップ８内部を確実に視認することができる。
【００２７】
本実施形態では、ダストカップ８として、透明又は半透明の容器９と前方部を覆う装飾板１０とで構成し、装飾板１０の底面の一部に切り欠きを設けることで、ダストカップ８底部から外部光を導入するようになっているが、装飾板１０の底面をすべて切り欠き、容器９の側面を覆う装飾板としてもよい。
【００２８】
また、透明又は半透明のダストカップ８を、視認用窓および採光用の透光部を形成するようにマスキングした上で塗装することで、装飾板１０を不要可能とするように構成してもよい。
【００２９】
また、容器９は前方側を開放した形状に形成し、装飾板１０に装着した状態で装飾板１０により前方側を閉塞して容器を構成するように形成してもよい。
【００３０】
あるいは、装飾板１０を、容器９の側面および底面を覆い、底面部分を薄くすることで、外部光がダストカップ８内に漏光するように構成してもよい。
【００３１】
尚、上述の通り、装飾板を容器の側面および底面を覆うように構成し、装飾板の底部に切り欠きを設ける実施形態、装飾板を容器の側面を覆うように構成する実施形態、透明又は半透明の容器の一部を塗装するによって装飾板とする実施形態、装飾板の底部を薄くすることで外部光がダストカップ内に漏光するように構成する実施形態等を例示したが、以上のような構成をもって、外部光がダストカップ内部に導入可能な構成と称している。
【産業上の利用可能性】
【００３２】
ダストカップに塵や埃を集塵させる構成の縦型掃除機に広く利用可能である。
【符号の説明】
【００３３】
１    床用吸込具
２    回転ブラシ
３    掃除機本体
４    吸込パイプ
５    操作用ハンドル
６    電動送風機
７    ダストカップ収納部
８    ダストカップ
９    容器
１０  装飾板
１１  接続口
１２  枠
１３  フィルター
１４  弁
１５  開口
１６  透光部
【図１】
0005471290.tif 000002
【図２】
0005471290.tif 000003
【図３】
0005471290.tif 000004
【図４】
0005471290.tif 000005
【図５】
0005471290.tif 000006
【図６】
0005471290.tif 000007
【図７】
0005471290.tif 000008
【図８】
0005471290.tif 000009
【図９】
0005471290.tif 000010